(57)【特許請求の範囲】
【請求項１】
コーナー部の角度が９０゜の型枠を用いて形成されるコンクリート製柱等のコーナー部に埋設されるコーナー保護材において、弾性変形可能な金属材で形成され、断面がアングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように該交差部分の内側にナットを装着してなることを特徴とするコンクリート製柱等のコーナー保護材。
【請求項２】
コーナー保護材の２つの片の幅方向外端側の内面に沿って長手方向にそれぞれアンカーを設けることを特徴とする請求項１記載のコンクリート製柱等のコーナー保護材。
【請求項３】
アンカーが、コーナー保護材の２つの片の内面に添設される第１の異形鉄筋と、該第１の異形鉄筋と平行かつ間隔を隔てて配置される第２の異形鉄筋と、これらの異形鉄筋を複数箇所で連結する連結金物から構成されることを特徴とする請求項２記載のコンクリート製柱等のコーナー保護材。
【請求項４】
コンクリート製柱等のコーナー部に埋設されるコーナー保護材をコーナー部の角度が９０゜の型枠内側に取付けておき、コンクリート打設後、型枠から分離してコンクリート製柱等のコーナー部に埋設するようにしたコンクリート製柱等のコーナー保護材埋設装置において、弾性変形可能な金属材で形成され、断面がアングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように交差部分内側にナットを装着し、型枠外側に装着されるボルト支持金具に支持されたボルトを前記ナットに螺合させてコーナー保護材を型枠内面に向け付勢することによりコーナー保護材を弾性変形させた状態で型枠内側に密着させることを特徴とするコンクリート製柱等のコーナー保護材埋設装置。
【発明の詳細な説明】
【技術分野】
【０００１】
本発明は、コンクリート製の柱および壁等のコーナー部分に取付けて、該コーナー部分に種々の物が衝突あるいは接触することで生じるコーナー部分の損傷を防止するためのコーナー保護材およびコーナー保護材埋設装置に関する。
なお、本明細書において、コンクリート製の柱および壁等のコンクリート製品をコンクリート製柱等という。
【背景技術】
【０００２】
従来、コンクリート製柱等のコーナーを保護する手法として、既成のコンクリート製柱等のコーナー部に保護材を取り付ける方式のものが知られている（以下「従来技術」という。例えば、特許文献１参照。）。この特許文献１記載の発明では、保護材が、幅方向のほぼ中央に長さ方向に沿って設けらた蝶番部により折り曲がり自在に形成された長尺板状の基板と、基板の表面を覆って装着される弾性カバーからなり、基板の蝶番部が柱の角部に位置するようにして９０゜折れ曲がった状態で柱にビス等で固定し、次に、基板の表面を覆うようにして弾性カバーを基板に凹凸嵌合により装着するものである。
【０００３】
また、最近、コンクリート製柱等のコーナーを保護する手法として、該コンクリート製柱等のコンクリート打設時に、柱等の角部に位置する型枠内側に鉄製のアングル材からなる保護材を取付けておき、打設されたコンクリートの硬化に伴い柱等のコーナー部に保護材を固定する手法が試みられている（以下「先行技術」という。）。
【特許文献１】特開２００２−６１３８４号公報
【発明の開示】
【発明が解決しようとする課題】
【０００４】
上記した、従来技術の、既成の柱に弾性カバーを基板を介してビスで固定する方式では、柱表面に段部ができ、体裁が悪いという問題があった。
また、先行技術の、型枠内側に鉄製のアングル材からなる保護材を取付ける手法は、コンクリート製柱等を強固に保護できるものであるが、該アングル材の１片だけを型枠にボルト止めしているため、アングル材の他の片と型枠との間に隙間ができやすく、その隙間に打設コンクリートが入り込み、アングル材表面にコンクリートが付着するため、型枠撤去後に、アングル材表面のコンクリートを削り落とす必要があるとともに、コンクリート製柱等の表面と保護材の表面とが面一にならないため補修作業を行う必要があった。
【０００５】
本発明は、コンクリート製柱等のコーナー部に埋設されるコーナー保護材、および、コンクリート製柱等のコーナー部に埋設されるコーナー保護材を型枠内側に取付けておき、コンクリート打設後、保護材を型枠から分離してコンクリート製柱等のコーナー部にコーナー保護材を埋設するようにしたコンクリート製柱等のコーナー保護材埋設装置において、型枠内側とコーナー保護材との間に隙間が形成されないようにすることにより、コンクリート打設時にコーナー保護材表面と型枠内面との間にコンクリートが進入することがなく、コーナー保護材表面とコンクリート製柱等の表面とを面一に形成することができ、コンクリート打設後の補修作業を不要にしたコンクリート製柱等のコーナー保護材およびコンクリート製柱等のコーナー保護材埋設装置を提供することを目的とする。
【課題を解決するための手段】
【０００６】
上記目的と達成するため本発明のコンクリート製柱等のコーナー保護材は、第１に、コンクリート製柱等のコーナー部に埋設されるコーナー保護材において、アングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように該交差部分の内側にナットを装着してなることを特徴としている。
また、本発明のコンクリート製柱等のコーナー保護材は、第２に、上記第１の特徴において、コーナー保護材の２つの片の幅方向外端側の内面に沿って長手方向にそれぞれアンカーを設けることを特徴としている。
また、本発明のコンクリート製柱等のコーナー保護材は、第３に、上記第２の特徴において、アンカーが、コーナー保護材の２つの片の内面に添設される第１の異形鉄筋と、該第１の異形鉄筋と平行かつ間隔を隔てて配置される第２の異形鉄筋と、これらの異形鉄筋を複数箇所で連結する連結金物から構成されることを特徴としている。
【０００７】
また、本発明のコンクリート製柱等のコーナー保護材埋設装置は、コンクリート製柱等のコーナー部に埋設されるコーナー保護材を型枠内側に取付けておき、コンクリート打設後、型枠から分離してコンクリート製柱等のコーナー部に埋設するようにしたコンクリート製柱等のコーナー保護材埋設装置において、アングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように交差部分内側にナットを装着し、型枠外側に装着されるボルト支持金具に支持されたボルトを前記ナットに螺合させてコーナー保護材を型枠内面に向け付勢することによりコーナー保護材を弾性変形させた状態て型枠内側に密着させることを特徴としている。
【発明の効果】
【０００８】
本発明のコンクリート製柱等のコーナー保護材は、アングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように該交差部分の内側にナットを装着することにより、コーナー保護材を型枠内側に密着固定させるボルトを交差部分にのみ用いるだけでコーナー保護材の２つの片と型枠内面が密着され、コンクリート打設時にコーナー保護材表面と型枠内面との間にコンクリートが進入することを防止することができる。そのため、コーナー保護材表面とコンクリート製柱等の表面とを面一に形成することができ、また、コンクリートがコーナー保護材表面に付着しないので、打設後のコンクリートの補修作業を不要にすることができる。
また、本発明のコンクリート製柱等のコーナー保護材は、コーナー保護材の２つの片の幅方向外端側の内面に沿って長手方向にそれぞれアンカーを設けることにより、アンカーがコンクリート製柱等に強固に固定されるため、長年の使用においても、コーナー保護材がコンクリート製柱等の表面より突出することがない。
また、本発明のコンクリート製柱等のコーナー保護材は、アンカーが、コーナー保護材の２つの片の内面に添設される第１の異形鉄筋と、該第１の異形鉄筋と平行かつ間隔を隔てて配置される第２の異形鉄筋と、これらの異形鉄筋を複数箇所で連結する連結金物から構成されることにより、コーナー保護材の２つの片が異形鉄筋で補強され、コンクリート打設時の圧力でコーナー保護材が変形されるようなことがなく、さらに、異形鉄筋の断面形状が凹凸をなしているため、コンクリート中に強固に埋設される。
【０００９】
また、本発明のコンクリート製柱等のコーナー保護材埋設装置は、コンクリート製柱等のコーナー部に埋設されるコーナー保護材を型枠内側に取付けておき、コンクリート打設後、型枠から分離してコンクリート製柱等のコーナー部に埋設するようにしたコンクリート製柱等のコーナー保護材埋設装置において、アングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように交差部分内側にナットを装着し、型枠外側に装着されるボルト支持金具に支持されたボルトを前記ナットに螺合させてコーナー保護材を型枠内面に向け付勢させることによりコーナー保護材を弾性変形させた状態て型枠内側に密着させるため、コーナー保護材の２つの片の交差部分に位置するボルトを締め込むだけで、確実にコーナー保護材を型枠内面に密着固定することができる。そのため、コーナー保護材埋設装置の構成を簡素化することができるとともに、コンクリート打設時にコーナー保護材表面と型枠内面との間にコンクリートが進入することを防止することができ、そのため、コーナー保護材表面とコンクリート製柱等の表面とを面一に形成することができ、また、コンクリートがコーナー保護材表面に付着しないので、打設後のコンクリートの補修作業を不要にすることができる。
【発明を実施するための最良の形態】
【００１０】
本発明のコンクリート製柱等のコーナー保護材およびコンクリート製柱等のコーナー保護材埋設装置を実施するための最良の形態を図面を参照しながら詳細に説明するが、本発明はこれに限定されて解釈されるものではなく、本発明の範囲を逸脱しない限りにおいて、当業者の知識に基づいて、種々の変更、修正、改良を加えうるものである。  
【００１１】
図１は、本実施の形態に係るコンクリート製柱のコーナーにコーナー保護材を装着した状態を示す正面図、図２は、図１のＡ−Ａ断面図である。
【００１２】
図１および図２において、コンクリート製柱１は建築物を支えるためのものであり、例えば、駐車スペースに面して建設されるものである。コンクリート製柱１の断面は四角形をなしており、そのコーナーに車等が衝突あるいは接触することで生じるコーナーの損傷を防止するためのコーナー保護材２が床面から数メートルの高さにわたって設けられる。
【００１３】
コーナー保護材２は、鉄等の弾性変形可能な金属材から形成され、断面はアングル形状をしており、２つの辺のそれぞれの長さは約６０〜７０ｍｍであり、アングル形状の角部は約２０ｍｍ程度面取され、長さは数ｍである。
コーナー保護材２はコンクリート製柱１の表面と面一になるようにコーナーに埋設されるもので、鉄筋３が組み上げられ、型枠がセットされた状態で型枠に支持され、コンクリートが打設されて柱１が形成された状態において、コーナー保護材２の表面とコンクリート製柱１の表面が連続した表面を形成する必要がある。また、コンクリート製柱１の仕上がり状態においては、コーナー保護材２の表面を露出させる必要があり、万一、コーナー保護材２の表面にコンクリートが付着している場合は、付着したコンクリートを除去する必要がある。
【００１４】
図３は、型枠４にコーナー保護材２を装着する状態を説明する平面図である。
断面が四角形のコンクリート製柱１を構築するための型枠４は、コンクリート製柱１の外周面に対応した内周面を有し、４片の木製合板を四角形状に組立て形成されている
。型枠４の外周部の上下方向に沿って所定間隔で複数の木製支持材５をビス等で固着し
、型枠４が内圧で外側に膨出しないように支えている。また、木製支持材５の外周部には、型枠４の上下方向に間隔をおいて保持部材６が複数固着される。
【００１５】
型枠４の内側の４隅には断面がアングル形状のコーナー保護材２が装着される。  
コーナー保護材２の詳細については後記するが、コーナー保護材２は、弾性変形可能な鉄等の金属材料から形成され、２つの片７、７のなす角度は後記するように９０゜よりわずかに大きく形成されており、２つの片７、７の交差部分（角部）は面取され、該面取部８の内側（交差部分の内側ともいい、該内側とはコーナー保護材２が配置された場合、コンクリート製柱１の中心側に位置する側をいう。）には袋ナット９がその螺子部が外側に向くように溶接等で固定されている。図３の拡大部分に明示するように、袋ナット９は型枠４の角部に対してその螺子部が４５゜の角度もって外側方向を向いて固定されている。袋ナット９の螺子部には型枠４の外側から型枠４を貫通してボルト１０が螺合されるものであり、そのため、コーナー保護材２および型枠４には、それぞれボルト穴１１、１２が形成されている。
【００１６】
型枠４の角部の外側にはボルト１０を支持するためのボルト支持金具１３が装着される。
ボルト支持金具１３の詳細については後記するが、ボルト支持金具１３は、アングル材１４と、該アングル材１４の２片と２等辺三角形状をなすように固定されたプレート１５とから形状され、アングル材１４の角部およびプレート１５にはそれぞれボルト穴１６、１７が形成されている。
ボルト支持金具１３の型枠への取付けは適宜な手段で行うことが可能であるが、図３に示した例では、型枠４のコーナーに配置された２つの木製支持材５の側面にボルト支持金具１３のアングル材１４の２片が係合することにより支持されるようになっている。
【００１７】
型枠４の角部の内側にコーナー保護材２を配置し、外側にコーナー保護材２と対向してボルト支持金具１３を配置した状態で、ボルト１０をボルト支持金具１３側からコーナー保護材２に固定された袋ナット９の螺子部に螺入すると、コーナー保護材２は型枠４の角部の内側に引き寄せられる。その際、コーナー保護材２の２つの片７、７のなす角度は９０゜よりわずかに大きく形成されているため、コーナー保護材２は弾性変形しつつ２つの片７、７が型枠４の内側に密着する。すなわち、コーナー保護材２の２つの片７、７が型枠４の内側に完全に密着した状態では、コーナー保護材２の２つの片７、７のなす角度は型枠のなす角度９０゜と同じになり、コーナー保護材２の２つの片７、７の外面と型枠４の内面との間に隙間はなく、しかも、強く押し付けられた状態が維持されることから、コンクリート打設時に両者の間にコンクリートが進入することはない。
【００１８】
図４は、コーナー保護材２を示す正面図、図５は、図４のＢ−Ｂ矢視図、図６は図４のＣ−Ｃ断面図である。
コーナー保護材２は、鉄等の弾性変形可能な金属材から形成され、断面はアングル形状をしており、２つの辺７、７のそれぞれの幅は約６０〜７０ｍｍであり、アングル形状の角部は約２０ｍｍ程度面取され、面取部８を形成しており、また、縦方向の長さは数ｍである。
コーナー保護材２のアングル形状をなす２つの片７、７のなす角度θは、９０゜＜θ≦９５、の範囲に形成されるのが望ましい。より望ましくは、９２゜＜θ≦９４、である。コーナー保護材２の２つの片７、７の板厚が薄い場合、θは大きく設定されるが、該板厚が厚い場合、θは小さく設定される。
【００１９】
コーナー保護材２の２つの片７、７の交差部分（角部ともいう。）は面取され、該面取部８の内側（交差部分の内側ともいう。）には袋ナット９がその螺子部が外側を向くように長手方向に間隔をもって複数（本例では３つ）配置され、溶接等で固定されている。  また、袋ナット９の螺子部と連続するようにコーナー保護材２の面取部８にはボルト穴１１が形成されている。
さらに、コーナー保護材２の２つの片７、７の幅方向外端側の内面には、その長さ方向のほぼ全長にわたってアンカー１９が装着されている。これは、コーナー保護材２がコンクリート製柱１に埋設された場合、該柱１に強固に装着されるようにするためである。
【００２０】
アンカー１９は、コーナー保護材２の２つの片７、７の幅方向外端側の内面に添設される第１の異形鉄筋２０と、該第１の異形鉄筋２０と平行かつ間隔を隔てて配置される第２の異形鉄筋２２と、これらの異形鉄筋を複数箇所で連結する連結金物２１から構成される。
第１の異形鉄筋２０を片７、７に溶接等で固着することにより、コーナー保護材２が補強され、その変形を防止する効果がある。  
第２の異形鉄筋２２は、図６に示すように、その両端が片７、７に近づくように円弧状に曲げられている。このため、コーナー保護材２を型枠４に装着してセットする場合、コンクリート製柱１の鉄筋３外側に巻き付けられた帯板に対してアンカー１９が係合することを避けることができるという効果がある。
また、アンカー１９を構成する異形鉄筋２０、２２は、断面形状が円形であること、および、表面が凹凸をなしていることから、コーナー保護材２の片７、７がコンクリート製柱１から離脱される方向の力に対して抵抗力を発揮するため、該柱１にコーナー保護材２は強固に装着されることになる。
【００２１】
図７は、ボルト支持金具１３の正面図であり、図８は図７のＤ−Ｄ矢視図である。
ボルト支持金具１３は、金属材料からなり、コーナー保護材２の長さとほぼ同じ長さを有し、アングル材１４と、該アングル材１４の２片と２等辺三角形状をなすように固定されたプレート１５とから形状される。アングル材１４の角部およびプレート１５の幅方向の中央部にはボルト１０が嵌合するためのボルト穴１６、１７が形成されている。
【図面の簡単な説明】
【００２２】
【図１】本実施の形態に係るコンクリート製柱等のコーナーにコーナー保護材を装着した状態を示す正面図である。
【図２】図１のＡ−Ａ断面図である。
【図３】型枠にコーナー保護材を装着する状態を説明する平面図である。
【図４】コーナー保護材を示す正面図である。
【図５】図４のＢ−Ｂ矢視図
【図６】図４のＣ−Ｃ断面図である。
【図７】ボルト支持金具の正面図である。り、図８は
【図８】図７のＤ−Ｄ矢視図である。
【符号の説明】
【００２３】
１      コンクリート製柱  
２      コーナー保護材  
３      鉄筋  
４      型枠  
５      木製支持材  
６      保持部材 
７      コーナー保護材の片
８      面取部
９      袋ナット
１０    ボルト
１１    ボルト穴
１２    ボルト穴
１３    ボルト支持金具
１４    アングル材
１５    プレート
１６    ボルト穴
１７    ボルト穴
１９    アンカー
２０    第１の異形鉄筋
２１    連結金物
２２    第２の異形鉄筋
【要約】
【課題】本発明は、コンクリート製柱等のコーナー部に埋設されるコーナー保護材において、型枠内側とコーナー保護材との間に隙間が形成されないようにすることにより、コーナー保護材表面とコンクリート製柱等の表面とを面一に形成することを目的とする。
【解決手段】本発明のコンクリート製柱等のコーナー保護材は、コンクリート製柱等のコーナー部に埋設されるコーナー保護材において、アングル形状のコーナー保護材の２つの片のなす角度θを、９０゜＜θ≦９５゜、の範囲に形成し、コーナー保護材の２つの片の交差部分に長手方向に間隔を有して複数のボルト穴を穿設するとともに該ボルト穴に整合するように該交差部分の内側にナットを装着してなることを特徴としている。
【選択図】  図３【図１】
0004247300.tif 000002
【図２】
0004247300.tif 000003
【図３】
0004247300.tif 000004
【図４】
0004247300.tif 000005
【図５】
0004247300.tif 000006
【図６】
0004247300.tif 000007
【図７】
0004247300.tif 000008
【図８】
0004247300.tif 000009